(57)【要約】【課題】  電源等を使用せず、庭園を吹き抜ける自然エネルギーである風を利用して動作する建物周辺及び庭園用の装飾体を提供すること。【解決手段】  弾力性を有するプラスチック製容器部材の周側部を１８０度の間隔で二カ所Ｕ字形に切り欠き、生じた二つの周側残部１ｘ、１ｙを相互に反対側に引っ張って、その一方の周側残部１ｘの上部右端と他方の周側残部１ｙの上部左端とを金属棒材１ｒで結合してなる風車部１と、風車部１の底部１ｂ中心から垂下させた軸部材２と、風車部１の底部１ｂに結合した、軸部材２の周囲を垂下する円筒状の雨水防止部材３と、軸部材２の途中に内側の軌道輪４ａを外装固定した玉軸受４と、玉軸受４の外側の軌道輪４ｂを上部内周に固設した小径筒部５ａと、小径筒部５ａと一体の大径筒部５ｂを接続する基部筒体６ｐを直立させた皿状部材６とで構成する。【選択図】図１
0003219442.tif 000002
【実用新案登録請求の範囲】
【請求項１】
弾力性を有するプラスチック製容器部材の周側部の二カ所を１８０度の中心間間隔でＵ字形に切り欠き、それらのＵ字形の切り欠きの間に残る二つの周側残部を該Ｕ字形の切り欠きを挟んで相互に平行にかつ反対方向に引っ張って、その一方の周側残部の上部右端又は上部左端と他方の周側残部の上部左端又は上部右端とを一定間隔の空いた対面状態で棒状連結部材で結合してなる風車部と、
前記風車部の底部中心から垂下させるべく上端を該底部中心に固設した軸部材と、
前記風車部の底部に結合した、前記軸部材の周囲を包囲状態で垂下する上部の閉じた円筒状の雨水防止部材と、
前記軸部材の途中に内側の軌道輪を外装固定した玉軸受と、
前記玉軸受の外側の軌道輪を上部内周に固設した支柱パイプであって、上端からの雨水の浸入を防止するように前記雨水防止部材でその上部を包囲され、下部を設置場所の支持手段に固設するようにした支柱パイプと、
で構成した建物周辺及び庭園用の装飾体。
【請求項２】
前記支柱パイプを、前記玉軸受の外側の軌道輪を上端から押し込み結合可能であるように、下方に向かって徐々に小径になるテーパ状内周を有する上部の小径筒部と、筒状又は棒状の部材にその上端から外装固定可能であるように、上方に向かって徐々に小径になるテーパ状内周を有する下部の大径筒部とで構成し、
前記設置場所の支持手段として、中央に筒状の部材である基部筒体を立ち上げた皿状部材を採用した請求項１の建物周辺及び庭園用の装飾体。
【請求項３】
前記風車部の一方の周側残部の上部左右端と他方の周側残部の上部左右端の各々に前記棒状連結部材による結合のための結合小孔を開口しておき、
他方、前記棒状連結部材を、前記一定間隔に相当する長さの直線部及びその両端に外れ防止のために形成した屈曲部からなる金属棒材で構成し、
前記棒状連結部材である金属棒材の各端部を、それぞれ任意に選択された一方の周側残部の上部左右端及び他方の周側残部の上部左右端の相互に対応する側の結合小孔に挿入し、それぞれの屈曲部をいずれも対応する周側残部の外側に突き出して結合することとした請求項１又は２の建物周辺及び庭園用の装飾体。
【請求項４】
前記風車部の底部に１以上の水抜き穴を開口した請求項１、２又は３の建物周辺及び庭園用の装飾体。
【請求項５】
前記皿状部材の内部に自然の砂利を配置することにした請求項２の建物周辺及び庭園用の装飾体。
【請求項６】
前記周側残部の外面に模様又は文字を描いた又は象ったシールを貼ることとした請求項１、２、３、４又は５の建物周辺及び庭園用の装飾体。
【考案の詳細な説明】
【技術分野】
【０００１】  本考案は、種々の建物の周辺や公園等を含む様々な庭園に設置して、その周辺の装飾を行いながら種々の目印やシンボルとして又は目的の場所への誘導のため等にも用いることのできる建物周辺及び庭園用の装飾体に関し、特にその付近を吹き抜ける風によって動きを生じる建物周辺及び庭園用の装飾体に関するものである。
【背景技術】
【０００２】  建物周辺及び庭園用の装飾体のなかでも庭園用の装飾体としては、古くから、庭園に設置される灯籠のような静的なもの、鹿威しのような流れ落ちる少量の水を利用して若干の動きや音響を生じさせるもの、または水琴窟のような滴り落ちる僅かな水を利用して深い音響効果を生じさせるもの等が知られている。さらに近時は、これらの伝統的なそれとは異なる種々の変化を伴う庭園装飾体が提案されつつある。音響や光による装飾効果を求めたものや、従来からの噴水に新しい工夫を加えたものなどである。一方で、建物周辺の装飾体を兼ねるものは見受けられない。【０００３】  特許文献１は、当該装飾物のケース外側に太陽電池を設け、ケース内に小鳥の鳴き声様の音声信号発生回路及びスピーカを内蔵し、上記太陽電池の光起電力により上記回路を駆動するように構成した庭園装飾物に関するものである。【０００４】  これは、前記の音響による効果を利用するものである。前記音声信号発生回路が小鳥の鳴き声様の音声を発生するものであるから、この考案の実施例に示されているように、ケースを小鳥の巣箱状とするなどのそれに相応しい外観に構成した上で、庭園の適当なところ（庭木の一部等）に設置して使用すると、天候状態により、太陽電池が十分な光起電力を生じれば、これにより上記回路を駆動し、小鳥の鳴き声を発し、あるいは、十分な光起電力を生じ得ず、小鳥の鳴き声を発し得ないことになる。天候の変動が音響の発生の変動として得られることになる。【０００５】  特許文献２は、先端部から光を放射する一本又は複数本の光ファイバーを配置してなり、この光ファイバーはその先端からの光放射を、点滅を繰り返したり、発光色を複数の色から選択され得るようにしたり、発光色が時間経過と共に変化するようにしたり、発光時間を任意に設定可能としたり、あるいは周囲の明るさが所定値以下になると前記光ファイバーの光放射が開始され得るように構成した庭園装飾灯に関するものである。【０００６】  これによれば、例えば、複数本の光ファイバーを所定の光源ボックスに収納した光源に繋ぎ、該光ファイバーの先端光放射部をパイプ状の支柱を通じて該支柱の先端に突き出させ、その突き出した光ファイバーの内の一部の先端には透光性の樹脂カバーを被せ、他の一部の先端には、同様に透光性の花や蝶又は小鳥等の植物や小動物等に似せた成形体を被覆し、これを庭園に設置して使用することができる。【０００７】  前記光源には、その駆動手段に、該光源を点滅させたり、周囲が所定明るさを下回った場合に発光駆動させるための明るさの検出手段を付設したりすることで、周囲が暗くなった場合に、前記花や小鳥等の成形体を発光させたり、それを点滅させたり、種々の態様の変化を加えることが可能である。さらに、これは、外部に露出する部分が光ファイバーの途中や先端部であり、電球やＬＥＤ等が露出しているものとは異なり、雨天等による悪影響をあまり受けないものでもある。【０００８】  特許文献３は、多数の光ファイバーの一端を合成樹脂製のネット状部材に取り付け、該光ファイバーの他端を光源に接続し、そうした上で、該ネット状部材を庭園の要所、例えば、種々の地衣類又は背丈の低い種々の植物の下方に設置するものとした光フ���イバーによる庭園装飾体に関するものである。【０００９】  この光ファイバーによる庭園装飾体は、要所に設置したネット部材から延びる光ファイバー及び光源は何らかの手段で目隠しをしておくのが適当であり、日が陰った頃に電源を入れると、光ファイバーの先端から光が放射され、地衣類又は芝生等から光が漏れ出ることとなり、興味深い雰囲気を醸し出すことができる。光源を適当に選択することにより、光の色をその範囲で自由に選択することが可能であり、光源を駆動する回路を適切に構成することにより、光度の変化や光の点滅をさせることも可能である。さらに周囲が所定明るさを下回った場合に、自動的に光源が点灯するようにすることも可能である。以上のようにこれは興味深い種々の動作を行うことができるものである。【００１０】  特許文献４は、紫外線により発光する蛍光体の被覆された人工芝等の疑似植物を庭園に配設し、これにブラックライトにより紫外線を照射して、該疑似植物を発光させる蛍光による庭園の装飾方法に関するものである。【００１１】  このような疑似植物を、例えば、シダ類やコケ類の間に混合状態に植え込み、これらにブラックライトで紫外線を照射すると、当該の疑似植物がシダ類やコケ類の間で蛍光を発し、非常に面白い装飾効果を得ることができる。
なお、季節毎に蛍光色の異なる蛍光体を施した疑似植物を同様に配することにより、季節感を出すなど一層興味深い現象を発生させることができる。【００１２】  特許文献５は、噴射口に至る流路の断面積の変化をリニア若しくはスムーズな減少曲線になるようにして液体を薄膜状に噴射する噴水装置において、前記噴水装置のノズルの近傍にミスト発生装置を設け、該ミスト発生装置から発生したミストを前記噴射口から噴射して形成した水膜の内部に封入したり、外部に放出したりし得るように構成し、さらに前記噴水装置のノズルの近傍に光発生装置を設け、複数種の色の光を点滅発光させ又は継続発光させ得るように構成した噴水装置に関するものである。【００１３】  このような噴水装置を庭園に設置して使用すると、噴射口の周囲に水膜を円形のカーテン状に構成し得、その内部又は外部にミストを放出しながら、種々の色の光を点滅又は継続発光させつつ放射すると、前記ミストが白く見え、その濃度変化により、放射される光に染まる色彩が変化し、見る者を幻想的な世界に誘うことができるものである。【００１４】  以上のように、従来技術である特許文献１〜５によれば、いずれも電力エネルギーを用いて動作すべく、それぞれ対応する装置類を構成し、これによって音（小鳥の鳴き声）、光（蛍光又は種々の色の光）、水（水膜噴水、ミスト）を発生し、放射し、又は水膜を形成し、庭園に種々の興味深い変化を生じさせるものである。以上のように、現時点では、伝統的な装飾体である水琴窟や鹿威しを除いては、自然エネルギーのみを用いて動作する庭園用の装飾体は知られていない。さらに広く、建物の周辺や公園等を含む種々の庭園に設置して、その付近の装飾を行いながら種々の目印やシンボルとして又は目的の場所への誘導のため等にも用いることのできる建物周辺及び庭園用の装飾体に関しては、知られていない。
【先行技術文献】
【特許文献】
【００１５】
【特許文献１】実開昭５５−７６２００号公報
【特許文献２】特開２０００−１１３７０２号公報
【特許文献３】特開平１０−１００５９９号公報
【特許文献４】特開平０８−１７０２１０号公報
【特許文献５】特開２００２−６６４１２号公報
【考案の概要】
【考案が解決しようとする課題】
【００１６】  本考案は、以上の特許文献１〜５やそれ以前の灯籠や鹿威し又は水琴窟のような、それぞれ興味深い動作や奥深い感興を与えるものに加えて、それらとは全く異なり、電源等を使用せず、自然エネルギーである風を利用して動作する、建物周辺及び庭園用の装飾体であって、広く、建物の周辺や公園等を含む種々の庭園に設置して、その付近の装飾を行いながら対象建物の目印やシンボルとして用い、あるいは目的の建物又は庭園への誘導のため等にも用いることのできる建物周辺及び庭園用の装飾体を提供することを解決の課題とするものである。
【課題を解決するための手段】
【００１７】  本考案の１は、弾力性を有するプラスチック製容器部材の周側部の二カ所を１８０度の中心間間隔でＵ字形に切り欠き、それらのＵ字形の切り欠きの間に残る二つの周側残部を該Ｕ字形の切り欠きを挟んで相互に平行にかつ反対方向に引っ張って、その一方の周側残部の上部右端又は上部左端と他方の周側残部の上部左端又は上部右端とを一定間隔の空いた対面状態で棒状連結部材で結合してなる風車部と、
前記風車部の底部中心から垂下させるべく上端を該底部中心に固設した軸部材と、
前記風車部の底部に結合した、前記軸部材の周囲を包囲状態で垂下する上部の閉じた円筒状の雨水防止部材と、
前記軸部材の途中に内側の軌道輪（内レース）を外装固定した玉軸受と、
前記玉軸受の外側の軌道輪（外レース）を上部内周に固設した支柱パイプであって、上端からの雨水の浸入を防止するように前記雨水防止部材でその上部を包囲され、下部を設置場所の支持手段に固設するようにした支柱パイプと、で構成した建物周辺及び庭園用の装飾体である。【００１８】  本考案の２は、本考案の１の建物周辺及び庭園用の装飾体において、
前記支柱パイプを、前記玉軸受の外側の軌道輪（外レース）を上端から押し込み結合可能であるように、下方に向かって徐々に小径になるテーパ状内周を有する上部の小径筒部と、筒状又は棒状の部材にその上端から外装固定可能であるように、上方に向かって徐々に小径になるテーパ状内周を有する下部の大径筒部とで構成し、
前記設置場所の支持手段として、中央に筒状の部材である基部筒体を立ち上げた皿状部材を採用したものである。【００１９】  本考案の３は、本考案の１又は２の建物周辺及び庭園用の装飾体において、
前記風車部の一方の周側残部の上部左右端と他方の周側残部の上部左右端の各々に前記棒状連結部材による結合のための結合小孔を開口しておき、
他方、前記棒状連結部材を、前記一定間隔に相当する長さの直線部及びその両端に外れ防止のために形成した屈曲部からなる金属棒材で構成し、
前記棒状連結部材である金属棒材の各端部を、それぞれ任意に選択された一方の周側残部の上部左右端及び他方の周側残部の上部左右端の相互に対応する側の結合小孔に挿入し、それぞれの屈曲部をいずれも対応する周側残部の外側に突き出して結合することとしたものである。【００２０】  本考案の４は、本考案の１、２又は３の建物周辺及び庭園用の装飾体において、
前記風車部の底部に１以上の水抜き穴を開口したものである。【００２１】  本考案の５は、本考案の２の建物周辺及び庭園用の装飾体において、
前記皿状部材の内部に自然の砂利を配置することにしたものである。【００２２】  本考案の６は、本考案の１、２、３、４又は５の建物周辺及び庭園用の装飾体において、
前記周側残部の外面に模様又は文字等を描いた又は象ったシールを貼ることとしたものである。
【考案の効果】
【００２３】  本考案の１の建物周辺及び庭園用の装飾体によれば、建物の周辺又は庭園の適当な場所に前記支柱パイプの下部を固設可能な支持手段を配置し又は構成し、この支持手段に該支柱パイプの下部を結合して設置しておけば、僅かの風であっても風が吹くと前記風車部の周側残部がこれを受けて前記軸部材を中心に容易に回転することになる。このとき、左回転（反時計回り）又は右回転（時計回り）の回転方向は、一方の周側残部の上部右端と他方の周側残部の上部左端とを結合するか、または該一方の周側残部の上部左端と該他方の周側残部の上部右端とを結合するかで予め自由に決めておくことができる。また前記軸部材は、前記支柱パイプの上部内周に外側の軌道輪（外レース）を固定した玉軸受で軽快に支持されているので、以上のような容易かつ軽快なな回転が実現できるものでもある。さらにこのように屋外に配置されるものであっても、前記のように、前記雨水防止部材で、前記支柱パイプの上部が包囲されているので、その内周に固定されている前記玉軸受に雨水が入り込むことがなく、故障の恐れを低下させることもできる。【００２４】  以上のように、本考案の１の建物周辺及び庭園用の装飾体によれば、電力等を用いず、自然のエネルギーである風の力を利用することで、回転動作をさせ、建物の周辺や庭園に見られることの少ない、動きを見せることができることになる。また、この装飾体は、下部を設置場所の支持手段に固設するようにした支柱パイプで、各所に設置することのできるものであり、要設置場所に、所要径の筒状又は杭状の部材を立設しておけば、容易にこれに前記支柱パイプを外装しつつ結合することができる。【００２５】  本考案の２の建物周辺及び庭園用の装飾体では、前記支柱パイプとして、上部の小径筒部と下部の大径筒部とからなる部材を構成し、前記設置場所の支持手段として、中央に直管の筒状部材である基部筒体を立ち上げた皿状部材を採用したものである。そして、該小径筒部は、前記のような下細りのテーパ状内周に構成したため、前記玉軸受の外側の軌道輪（外レース）を該小径筒部の内周に押し込み挿入することのみで固定することが可能であり、また強く引くことで抜くことも可能になる。さらに、該大径筒部は、前記のような上細りのテーパ状内周に構成したため、これを、前記基部筒体の上部に外装状態に押し下げることのみで、該大径筒部を該基部筒体の上部に結合固定することが可能であり、強く引き上げることで分離することも可能である。それ故、本考案の２の建物周辺及び庭園用の装飾体によれば、所定の設置場所への設置・解体や組み立て分解等の取り扱いが非常に容易になる。【００２６】  本考案の３の建物周辺及び庭園用の装飾体によれば、前記棒状連結部材として、前記一定間隔に相当する長さの直線部とその両端の外れ防止のための屈曲部とからなる金属棒材を構成し、他方、前記風車部の一方の周側残部の上部左右端と他方の周側残部の上部左右端の各々に以上の金属棒材による結合のための結合小孔を開口したので、両周側残部を、たとえば、平面から見て上側の一方の周側残部を左方向に、下側の他方の周側残部を右方向に、相互に平行に、引っ張って動かし、前者の上部右端の結合小孔と後者の上部左端の���合小孔に、前記金属棒材の両端をそれぞれ内側から挿入し、それぞれの結合小孔の外側に屈曲部が突き出た状態にする、または上側の一方の周側残部を右方向に、下側の他方の周側残部を左方向に引っ張って動かし、前者の上部左端の結合小孔と後者の上部右端の結合小孔に、前記金属棒材の両端をそれぞれ内側から挿入し、各結合小孔の外側に屈曲部が突き出た状態にすることで、風車部を自在にいつでも任意の回転方向に回転させるようにすることができる。【００２７】  本考案の４の建物周辺及び庭園用の装飾体によれば、前記風車部の底部に１以上の水抜き穴を開口したので、雨天時等に該風車部の底部上に降った雨水を該水抜き穴から排出することができる。そのため溜まり水に起因するボウフラやカビ等の発生を防止することができる。また水溜まりの生じたことに起因する不潔感等も生じさせないようにすることができる。【００２８】  本考案の５の建物周辺及び庭園用の装飾体によれば、前記支柱パイプを前記基部筒体を介して立ち上げる前記皿状部材の内部に玉砂利等の自然の砂利を配置することとしたため、庭園等に配置した場合に調和のとれたものになる利点がある。【００２９】  本考案の６の建物周辺及び庭園用の装飾体によれば、前記周側残部の外面に模様又は文字等を描いた又は象ったシールを貼ることとしたものであるため、風による回転時は、色彩又は模様の変化として、無回転時には、そのままの状態で眺めることが可能であり、装飾のレベルを上げることができる。または情報の伝達のためにも利用可能になる。
【図面の簡単な説明】
【００３０】
【図１】一実施例の建物周辺及び庭園用の装飾体の正面図。
【図２】（ａ）は一方の周側残部の上部右端の結合小孔と他方の周側残部の上部左端の結合小孔を金属棒材（棒状連結部材）で結合した状態の平面図、（ｂ）は両周側残部の、（ａ）とは逆の上部左右端の結合小孔相互を金属棒材で結合した状態の平面図。
【図３】一実施例の建物周辺及び庭園用の装飾体の上部の一部を切り欠いた拡大縦断面図。
【図４】両周側残部の上部左右端の結合小孔相互を結合していない状態の平面図。
【図５】周側残部の外面に貼るシールの正面図。
【図６】（ａ）は棒状連結部材の他の実施例を示す断面図、（ｂ）は（ａ）の棒状連結部材の使用状態を示す説明図。
【考案を実施するための形態】
【００３１】  以下に、考案を実施するための形態を実施例に基づいて添付図面を参照しつつ詳細に説明する。
【００３２】  図１及び図３に示すように、この実施例の建物周辺及び庭園用の装飾体は、基本的に、風車部１と、該風車部１の底部１ｂの中央から垂下させた軸部材２と、該軸部材２と共に該風車部１の底部１ｂの中央から該軸部材２を間隔を空けて囲むような状態で垂下させた円筒状の雨水防止部材３と、前記軸部材２に内側の軌道輪（内レース）４ａを外装固定し、外側の軌道輪（外レース）４ｂを後記支柱パイプ５の小径筒部５ａに着脱自在に内装結合した玉軸受４と、以上の上部の小径筒部５ａ及び下部の大径筒部５ｂからなる支柱パイプ５とで構成し、前記支柱部材である前記支柱パイプ５の下部を支持する前記設置場所の支持手段として、該支柱パイプ５の大径筒部５ｂを上部に外装結合する基部筒体６ｐを立ち上げた皿状部材６を組み合わせたものである。
【００３３】  前記風車部１は、特に図４に示すように、弾力性を有するプラスチック製容器部材の周側部を周方向１８０度の中心間間隔で二カ所Ｕ字形に切り欠き、それらの二カ所の切り欠きの両側、言い換えれば、二カ所の切り欠きの間に生じた二つの周側残部１ｘ、１ｙの各上部左右端にそれぞれ結合小孔ｈ、ｈを開口し、さらに前記底部１ｂには、周側近傍に９０度の角度間隔で４個の水抜き穴１ｄ、１ｄ…を開口したものである。
【００３４】  この風車部１は、その底部１ｂには、図３に示すように、その中心に前記軸部材２を貫通させつつ結合するための中心孔１ｈを開口しておき、さらに、図１、図２及び図４に示すように、前記二つの周側残部１ｘ、１ｙの上部左右端間を、後述するようにして、結合するための棒状連結部材である金属棒材１ｒを付設したものである。
【００３５】  この金属棒材１ｒは、図２（ａ）、（ｂ）及び図４に示すように、一定の長さを有する直線部１ｒｌとその両端の屈曲部１ｒｃ、１ｒｃとで構成したものである。該直線部１ｒｌも該屈曲部１ｒｃ、１ｒｃも簡単には屈曲しない程度の剛性と僅かな屈曲であれば復元可能な程度の弾力性とを備えていることが好ましい。なお、前記直線部１ｒｌの一定の長さは、前記風車部１の図４に示す状態にある両周側残部１ｘ、１ｙを、そのうち同図中上方のそれを左に引っ張り、同図中下方のそれを右に引っ張って、図２（ａ）に示すように、該周側残部１ｘの上部右端と該周側残部１ｙの上部左端とを対面状態にした場合の、該周側残部１ｘの上部右端と該周側残部１ｙの上部左端との間隔にほぼ一致する寸法とする。該屈曲部１ｒｃ、１ｒｃは、直線部１ｒｌの端部でその内角が７０度から９０度程度になるように屈曲した構成とするのが適当である。なおまた以上の屈曲部ｒｃ、１ｒｃの直線部１ｒｌとの間の内角はそれに限定される趣旨ではない。
【００３６】  前記風車部１は、以上に若干述べたように、両周側残部１ｘ、１ｙを、図４の状態から図１及び図２（ａ）又は図２（ｂ）に示すように、平面から見た場合に、前記二カ所のＵ字形の切り欠きを挟んで、相互に、左右にずらして風力により縦軸である前記軸部材２を中心に回転させ得るものにする。
【００３７】  前記両周側残部１ｘ、１ｙは、図４に示すように、当初、円周上に位置している。これらの周側残部１ｘ、１ｙを、例えば、図２（ａ）に示すように、平面から見て、図中上側の周側残部１ｘは左方向に、図中下側の周側残部１ｙは右方向に、それぞれ引っ張って、図中上側の周側残部１ｘの上部右端と下側の周側残部の上部左端とをほぼ対面状態に近づけた上で、前記金属棒材１ｒを、該上部右端と該上部左端とにそれぞれ開口してある両結合小孔ｈ、ｈに挿入し、その状態を維持するようにする。なお、以上において、図２（ａ）に示すように、両周側残部１ｘ、１ｙは、前記両切り欠きを挟んで、言い換えると、前記両切り欠きの中心間を結ぶ線に平行に、前者は左方向に、後者は右方向に、それぞれ引っ張るものである。
【００３８】  また、以上において、前記金属棒材１ｒは、例えば、上側の周側残部１ｘの上部右端に開口してある結合小孔ｈに内側から挿入する。該金属棒１ｒは、一方の屈曲部１ｒｃから直線部１ｒｌの端部まで挿入し、その後、同様に内側から、他端側の屈曲部１ｒｃを下側の周側残部１ｙの上部左端の結合小孔ｈに挿入する。こちら側の屈曲部１ｒｃも、いうまでもなく、直線部１ｒｌの端部まで挿入する。図２（ａ）に示すとおりである。こうして上側の周側残部１ｘの上部右端と下側の周側残部１ｙの上部左端とはその間の距離を保持しつつその状態を保持することになる。
【００３９】  上側の周側残部１ｘと下側の周側残部１ｙとを、相互に以上と逆方向にほぼ平行に引っ張って、図２（ｂ）に示すように、前者の上部左端と、後者の上部右端とを、相互の結合小孔ｈ、ｈ及び金属棒材１ｒを介して、所定間隔で結合する場合も、上の場合と同様に行えば良い。またいずれの場合も、金属棒材１ｒを外すのは簡単であるから、所望により両者の結合関係を切り替えて使用することも可能である。なお、前者、すなわち、図２（ａ）の場合は、風車部１は、風を受けると、平面から見た状態で、時計回り方向の回転をする。後者、すなわち、図２（ｂ）の場合は、風車部１は、風を受けると、平面から見た状態で反時計回り方向の回転をする。
【００４０】  ところで、前記棒状連結部材については、特に風車部が大型の場合には、図６（ａ）、（ｂ）に示すように、中心ボルト部材１１ｒと、これに外装したスペーサ管１１ｐであって、二つの周側残部の結合すべき上部端部間の間隔に一致する長さに構成したスペーサ管１１ｐと、前記中心ボルト部材１１ｒの該スペーサ管１１ｐから突出する両端にそれぞれ配したワッシャー１１ｗ、１１ｗと、前記中心ボルト部材１１ｒの該ワッシャー１１ｗ、１１ｗのさらに外側にそれぞれ螺合した蝶ナット１１ｎ、１１ｎとで構成した連結材１１を用いるのが適当である。
【００４１】  この連結材１１を用いる場合は、まず前記中心ボルト部材１１ｒの両端の蝶ナット１１ｎ、１１ｎ及びワッシャー１１ｗ、１１ｗをその両端から取り外しておいた上で、対象の大型の風車部の周側残部１１ｘ、１１ｙを、例えば、図６（ｂ）に示すように、平面から見て、図中右側の周側残部１１ｘは下方向に、図中左側の周側残部１１ｙは上方向に、それぞれ引っ張って、図中右側の周側残部１１ｘの上部上端と左側の周側残部１１ｙの上部下端とをほぼ対面状態に近づける。この後、前記連結材１１のスペーサ管１１ｐの両端から突出している中心ボルト部材１１ｒの両端を、それぞれ該周側残部１１ｘの上部上端と左側の周側残部１１ｙの上部下端とにそれぞれ開口してある両結合小孔に挿入し、その後、図６（ｂ）に示すように、さらに外側に突出している該中心ボルト部材１１ｒの両端にそれぞれ前記ワッシャー１１ｗ、１１ｗを外装し、さらにその外側から前記蝶ナット１１ｎ、１１ｎを螺合し、その挿入状態を確定する。
【００４２】  風車部が大型の場合には、棒状連結部材については、以上のように、前記連結材１１を用いるのが適当である。
【００４３】  この実施例の場合は、前記のように、両周側残部１ｘ、１ｙの対応部位相互を前記金属棒材１ｒで結合した後、前記周側残部１ｘ、１ｙの外面に、所望により、図５に示すような模様（例えばハート型）を象ったシールｄ１又は文字等を描いたシールｄ２を貼ることとする。
【００４４】  前記軸部材２は、図３に示すように、この実施例では、それとしてボルト部材を採用している。このボルト部材である軸部材２を、図３に示すように、前記風車部１の底部１ｂの中央部に開口した中心孔１ｈを上方から下方に貫通させて該風車部１の底部１ｂの下面から垂下させる。このとき、該軸部材２は、図２、図３及び図４に示すように、該底部１ｂの上面中央に配置したワッシャーｗを貫通させ、又は予め貫通させてあるワッシャーｗを介して、該底部１ｂの中心孔１ｈを上方から下方に貫通させ、その下面側から垂下させる。
【００４５】  この後、ボルト部材であるこの軸部材２は、ワッシャーｗを介して下方より螺合させたナットｎを締め付けて、その頭部を該底部１ｂの中央部に固定するものであるが、この実施例では、図３に示すように、同時に前記雨水防止部材３の最上部を該底部１ｂの下面中央に取り付ける。
【００４６】  該雨水防止部材３は、図１及び図３に示すように、上部の閉じた円筒状部材であり、少なくとも、その内径が、前記支柱パイプ５の上部を構成する小径筒部５ａの外径を越える寸法である必要があり、同図に示すように、十分にそのような径を有する円筒状部材を採用している。
【００４７】  この雨水防止部材３は、上部の閉じた面の中央に、図３に示すように、前記軸部材２を貫通させうる中心孔３ｈが開口してあり、前記のように、風車部１の底部１ｂの中心孔１ｈを貫通して垂下している軸部材２を同様に該雨水防止部材３の中心孔３ｈをも貫通させ、さらにその軸部材２の下方から前記ワッシャーｗを通し、またさらにその下方から前記ナットｎを螺合し、前記し、図３に示すように、該ナットｎを締め付けて、該軸部材２と共に該雨水防止部材３を風車部１の底部１ｂから垂下状態に取り付け固定する。
【００４８】  前記玉軸受４は、前記風車部１の底部１ｂに固定し、かつ該風車部１の底部１ｂから垂下させた軸部材２を介して、前記風車部１及び前記雨水防止部材３を回転自在に支持するものであり、それらを安全に支持できる許容ラジアル荷重及び許容アキシャル荷重を有するものであれば良い。支持する部材の重量は大きくないし、暴風雨時の使用は想定していないので、特別大きな許容荷重は必要としない。
【００４９】  前記玉軸受４は、前記し、かつ図３に示すように、その内側の軌道輪（内レース）４ａを前記軸部材２の途中に外装固定したものである。これは、予めナットｎを該軸部材２の途中の所定の位置に螺合しておき、そうした上で、下方から該玉軸受４の内側の軌道輪（内レース）４ａを通し、さらにその下方からナットｎを螺合し、上方のナットｎと下方のナットｎとで両側から締め付けて、該軸部材２の所定の位置に該内側の軌道輪（内レース）４ａを固定したものである。
【００５０】  またこの玉軸受４は、同様に図３に示すように、その外側の軌道輪（外レース）４ｂを前記支柱パイプ５の上部を構成する小径筒部５ａの内部に上方から挿入し、強く押し込んで固定する。
【００５１】  前記支柱パイプ５を、ここで説明しておくと、これは、図１及び図３に示すように、上部の小径筒部５ａとその下部から下方に連続する下部の大径筒部５ｂとで構成したものである。該小径筒部５ａは、その外径が、同図に示すように、前記雨水防止部材３でその上部が包囲され、これによって上端からの雨水の浸入が防止される寸法のものであり、かつ内径が、下方に向かって徐々に小径になるテーパ状内周となっているものである。また該内径は、前記玉軸受４の外側の軌道輪（外レース）４ｂを適切に挿入しうる寸法でもある。前記大径筒部５ｂは、外径が前記小径筒部５ａの外径より大径であり、また内径は、上方に向かって徐々に小径になるテーパ状内周となっているものである。該大径筒部５ｂは、設置場所の支持手段と結合する部位である。
【００５２】  前記玉軸受４は、前記のように、その外側の軌道輪（外レース）４ｂを前記小径筒部５ａの上端から内部に挿入し、強く押し込むと、該小径筒部５ａの内周は、前記のように、下方に向かって徐々に小径になるテーパ状となっているので、該外側の軌道輪（外レース）４ｂは、その内周に固定状態となるものである。勿論、強く引けば、引き抜くことも可能である。
【００５３】  前記基部筒体６ｐは、図３に示すように、前記皿状部材６の中心に直立状態に設置するものである。該基部筒体６ｐの最下部外周には、下端周囲から鍔体ｆを水平方向に張り出した金属筒体ｐを外装固定し、該基部筒体６ｐの軸心と該皿状部材６の中心とを一致させた上で、該基部筒体６ｐを該皿状部材６の底部６ｂ上に配置し、該金属筒体ｐの鍔体ｆを介して該底部６ｂに固定する。該鍔体ｆと該皿状部材６の底部６ｂとには、相互に対応する位置関係で結合孔を開口しておき、これらを通じて、図３に示すように、ボルトｂ及びナットｎにより固定する。なお、この皿状部材６と基部筒体６ｐは、既に説明してあるように、この実施例の装飾体の「設置場所の支持手段」を構成するものであり、この実施例では、予めこの実施例の装飾体をこれに結合しておいた上で、要設置場所に配置するようにしたものである。
【００５４】  前記軸部材２は、図３に示すように、その最上部に前記風車部１を固定し、該風車部１の底部１ｂに前記雨水防止部材３を配したものであり、他方、該軸部材２の途中に前記玉軸受４を介して前記支柱パイプ５の上部の小径筒部５ａを結合したものである。
【００５５】  この支柱パイプ５の下部を構成する大径筒部５ｂの下部を、前記のように、設置場所の支持手段を構成する前記基部筒体６ｐに外装結合させる。該大径筒部５ｂを該基部筒体６ｐの上部に被せた状態にして押し下げてゆくと、該大径筒部５ｂの内径は、前記のように、上方に向かって徐々に縮小する形状に構成してあるので、きつく締まって固定状態となる。勿論、強く引き上げれば、該大径筒部５ｂは、該基部筒体６ｐから外すこともできる。
【００５６】  前記皿状部材６は、図３に示すように、底部６ｂのうち中央部が若干上方に膨らんで平坦になっており、前記基部筒体６ｐは、以上の若干膨らんで平坦になっている中央部に固定してある。前記鍔体ｆ及び該底部６ｂを介してその下方に突き出したボルトｂは、以上のように該底部６ｂの中央部が若干上方に膨らんでいるため、該皿状部材６の配置面に突き当てることなく配置することができる。
【００５７】  前記皿状部材の内部には、図１及び図３に示すように、玉砂利ｄ３を配置する。
【００５８】  この実施例の建物周辺及び庭園用の装飾体は、以上のような構成であり、これによれば、これを店舗、公共の建物、住宅、その他の建物の周囲、あるいは庭園の種々の位置、例えば、庭石の上、その他のなるべく平坦で風の受けやすい場所に配置しておくと、僅かの風であっても、風が吹くと、前記風車部１の周側残部１ｘ、１ｙがこれを受けて前記軸部材２を中心に容易に回転することになる。周側残部１ｘ、１ｙの関係が、図１及び図２（ａ）に示すように、それぞれの内面の左側部分に風を受けやすくなるように、相互の上部左右端の結合関係を設定してあると、該風車１は、平面から見て、図２（ａ）中、時計回りに回転することになる。図２（ｂ）に示すように、周側残部１ｘ、１ｙの相互の上部左右端の結合関係を上記の場合と逆向きに設定すると、それぞれの内面の右側部分が風を受けやすくなるので、該風車１は反時計回りに回転することになる。
【００５９】  いずれの回転方向を選択するかは自由であり、既に説明してあり、かつ図２（ａ）、（ｂ）に示すように、一方の周側残部１ｘの上部右端と他方の周側残部１ｙの上部左端とを前記金属棒材１ｒで各々前記結合小孔ｈ、ｈを介して結合すれば、風車部１の時計回り回転を選択でき、逆に、一方の周側残部１ｘの上部左端と他方の周側残部１ｙの上部右端とを前記金属棒材１ｒで各々前記結合小孔ｈ、ｈを介して結合すれば、反時計回り回転を選択できるわけである。この選択はいつでも変更可能であり、選択は、以上のように、金属棒材１ｒの差し替えで行われ、その操作は、前記のように、簡単である。
【００６０】  また前記軸部材２は、図３に示すように、前記支柱パイプ５の上部を構成する小径筒部５ａの内部途中に外側の軌道輪（外レース）４ｂを固定した玉軸受４で軽快に支持されているので、軽快な回転が実現できるものでもある。
【００６１】  さらに、建物周辺及び庭園用の装飾体は、以上のように屋外に配置するものであるが、前記し、かつ図１及び図３に示すように、前記雨水防止部材３で、前記支柱パイプ５の最上部である小径筒部５ａの上部が囲みカバーされているので、その内周に固定されている前記玉軸受４に雨水が入り込むおそれはなく、故障の恐れを低下させることができる。
【００６２】  以上のように、この実施例の建物周辺及び庭園用の装飾体によれば、電力等を用いず、自然のエネルギーである風の力を利用することのみで、風車部１に回転動作をさせ、特に庭園等に見られることの少ない、動きのある建物周辺及び庭園用の装飾体を実現できていることになる。
【００６３】  さらにこの実施例の建物周辺及び庭園用の装飾体によれば、前記玉軸受４は、前記のように、これを前記小径筒部５ａ中に強く押し込めば、その内径が前記テーパ状の構成であるが故に、該玉軸受４の外側の軌道輪（外レース）４ｂは、該小径筒部５ａの内周に適度な固定状態で固定されることになる。勿論、強く引けば、引き抜くことも可能である。また前記大径筒部５ｂは、設置場所の支持手段である前記基部筒体６ｐの上部に外装状態にして押し下げると、該大径筒部５ｂの内径は前記テーパ状の構成であるが故に、適度に締まって適度な固定状態となる。勿論、強く引き上げれば、引き抜くことも可能である。以上のように、組み立て分解及び設置場所の支持手段との結合や分離等の取り扱いが非常に容易である。
【００６４】  この実施例の建物周辺及び庭園用の装飾体によれば、前記風車部１の底部１ｂに４個の水抜き穴１ｄ、１ｄ…を開口してあるため、雨天時等に底部１ｂ上に降った雨水を滞留させず、直ちに該水抜き穴１ｄ、１ｄ…から排出することができる。滞留による不潔感を発生させず、これに起因するボウフラ等の発生も回避できる。
【００６５】  この実施例の建物周辺及び庭園用の装飾体によれば、設置場所の支持手段である、前記基部筒体６ｐを立ち上げる前記皿状部材６の内部に玉砂利ｄ３、ｄ３…を配置することとしたため、特に庭園等に配置した場合に周囲と調和がとれたものになる利点がある。適度な重量を確保でき、重心を低下させることもできるため、若干強い風を受けた場合にも容易に転倒しない利点も得られる。
【００６６】  この実施例の建物周辺及び庭園用の装飾体によれば、前記周側残部１ｘ、１ｙの外面に、所望により、模様（例えばハート型）を象ったシールｄ１又は文字等を描いたシールｄ２を貼ることとしたため、風車部１の風による回転時は、模様等の色彩の変化として、無回転時には、そのままの状態で眺めることが可能であり、装飾のレベルを上げることができる。
【００６７】  ところで、以上のように、この実施例では、設置場所の支持手段として、基部筒体６ｐを立ち上げた皿状部材６を採用し、これに予め建物周辺及び庭園用の装飾体を結合して、設置場所に配置して使用する例を説明したが、これに代えて、要設置場所に、前記基部筒体６ｐと同様の外径のパイプ体や杭状部材を設置しておくこととすれば、それらに実施例の装飾体をその支柱パイプ５の大径筒部５ｂによって容易に外装結合し、その場所に設置することができる。そのような杭状部材又はパイプ体を、直線状又は環状、あるいはその他の様々な態様に配列しておき、実施例の装飾体を必要数だけ準備しておけば、この実施例の装飾体を直線状又は環状、あるいはその他の様々な態様に配列することも可能である。
【産業上の利用可能性】
【００６８】  本考案の建物周辺及び庭園用の装飾体は、この種の建物周辺及び庭園用の装飾体の製造業の分野、又はこれを利用する造園業や建築業等の分野で利用することができる。
【符号の説明】
【００６９】１    風車部
１ｂ  風車部の底部
１ｄ  風車部の底部の水抜き穴
１ｈ  風車部の底部の中心孔
１ｒ  金属棒材
１ｒｃ  金属棒材の屈曲部
１ｒｌ  金属棒材の直線部
１ｘ、１ｙ  周側残部
２    軸部材
３    雨水防止部材
３ｈ  雨水防止部材の上部の閉じた面に開口した中心孔
４    玉軸受
４ａ  内側の軌道輪（内レース）
４ｂ  外側の軌道輪（外レース）
５    支柱パイプ
５ａ  小径筒部
５ｂ  大径筒部
６  皿状部材
６ｂ  皿状部材の底部
６ｐ  基部筒体
ｂ    ボルト
ｄ１  模様（例えばハート型）を象ったシール
ｄ２  文字等を描いたシール。
ｄ３  玉砂利
ｆ    鍔体
ｈ    周側残部の上部左右端の結合小孔
ｎ    ナット
ｐ  金属筒体
ｗ    ワッシャー
１１  連結材
１１ｎ  蝶ナット
１１ｐ  スペーサ管
１１ｒ  中心ボルト部材
１１ｗ  ワッシャー
１１ｘ、１１ｙ  大型の周側残部
【図１】
0003219442.tif 000003
【図２】
0003219442.tif 000004
【図３】
0003219442.tif 000005
【図４】
0003219442.tif 000006
【図５】
0003219442.tif 000007
【図６】
0003219442.tif 000008